(57)【要約】【課題】扉の断熱厚の減少を抑制して、かつ着脱が容易な基板の配置構造を備えた冷蔵庫を提供する。【解決手段】断熱材９と扉前面部材７との間で基板収納部材２４をガイドする基板ガイド部材４１を備え、基板収納部材２４の一端側は、ガイド部４４で被ガイド部２１ａがガイドされて扉前面部材７に接触又は近接するようにガイドされて、基板収納部材２４の他端側は、基板収納部材２４の位置規制部２４ａが基板ガイド部材４１に接触することで扉前面部材７に接触又は近接するように付勢されて、基板収納部材２４の端部の被規制部２１ｂが蓋規制部３２に規制されることで基板収納部材２４が位置規制される。【選択図】図７
2015117892.tif 000002
【特許請求の範囲】
【請求項１】
貯蔵室の前方開口を開閉する扉と、
前記扉内の断熱材と、
前記扉の前面の光透過性の扉前面部材と、
基板を収納する基板収納部材と、
前記断熱材と前記扉前面部材との間で前記基板収納部材をガイドする基板ガイド部材と、
前記基板収納部材の被ガイド部と、
前記被ガイド部をガイドする前記基板ガイド部材のガイド部と、
前記基板収納部材の位置規制部と、
前記基板ガイド部材のガイド入口を塞ぐ蓋と、
前記蓋の蓋規制部と、
前記蓋規制部で規制される前記基板収納部材の端部の被規制部と、
を備え、
前記基板収納部材の一端側は、前記ガイド部で前記被ガイド部がガイドされて前記扉前面部材に接触又は近接するようにガイドされて、
前記基板収納部材の他端側は、前記位置規制部が前記基板ガイド部材に接触することで前記扉前面部材に接触又は近接するように付勢されて、
前記被規制部が前記蓋規制部に規制されることで前記基板収納部材が位置規制される
ことを特徴とする冷蔵庫。
【請求項２】
前記位置規制部は固定端が前記ガイド入口側で、自由端が前記ガイド部の終端部側に位置しており、
前記基板ガイド部材は、前記ガイド入口側ほど前記扉前面部材から離れる傾斜を有しており、
前記位置規制部が前記基板ガイド部材の傾斜に反発力を作用させた際に前記基板組品がさらに前記ガイド入口側に押し出されることを特徴とする、請求項１記載の冷蔵庫。
【請求項３】
前記扉の前記貯蔵室側に他の部分よりも断熱厚さが大きい突出部を有し、
前記基板ガイド部材の前記傾斜は前記突出部から前記ガイド入口の範囲に設けて、該傾斜から前記ガイド入口側を広域空間、前記ガイド部の終端側を狭域空間としたことを特徴とする、請求項２記載の冷蔵庫。
【請求項４】
前記基板ガイド部材は前記断熱材側に凸形状の曲面を有し、該曲面は前記断熱材の発泡時の発泡圧による変形で平面形状となるように変形させることを特徴とする、請求項１乃至３のいずれかに記載の冷蔵庫。
【発明の詳細な説明】
【技術分野】
【０００１】
本発明は、冷蔵庫に関する。
【背景技術】
【０００２】
本技術分野の背景技術として、特開平０２−２２３７８５号公報（特許文献１）がある。特許文献１の請求項２には、「ドアキャップ下の前面に表示窓部を開口するとともに下面に操作パネル挿入口を開口し、前記表示窓部に対応するドアキャップ下の裏面に前記操作パネル挿入口に連通する操作パネル挿入空間部を断熱カバーで形成し、この断熱カバーの内面天井部に前記表示窓部の上部付近に上面ストッパを設けるとともに、このストッパから後壁にかけて後下りに傾斜する傾斜壁を形成し、前記操作パネル挿入口から挿入する操作パネルの上端を前記断熱カバーの傾斜壁に当接させながら上面ストッパへ誘導して係合させ、前記操作パネル挿入口を閉塞する蓋の裏面に設けた操作パネル支持リブにより操作パネルを前記表示窓部側へ押圧固定するようにした」ことが記載されている。
【先行技術文献】
【特許文献】
【０００３】
【特許文献１】特開平０２−２２３７８５号公報
【発明の概要】
【発明が解決しようとする課題】
【０００４】
しかし、特許文献１記載の構成では、蓋の裏面に設けた操作パネル支持リブが、操作パネルの高さの中央位置を超える高さ位置まで設けられている。そのため、操作パネル支持リブの寸法分、断熱カバーで形成した操作パネル挿入空間部を厚く形成する必要があり、扉の断熱厚さが減少する。
【０００５】
また、操作パネルの背面は操作パネル支持リブが位置している分、扉の断熱厚さが減少するため、操作パネル部に結露のおそれがある。
【０００６】
そこで本発明の目的は、扉の断熱厚の減少を抑制して、かつ着脱が容易な基板の配置構造を備えた冷蔵庫を提供することにある。
【課題を解決するための手段】
【０００７】
本発明は一例として、貯蔵室の前方開口を開閉する扉と、前記扉内の断熱材と、前記扉の前面の光透過性の扉前面部材と、基板を収納する基板収納部材と、前記断熱材と前記扉前面部材との間で前記基板収納部材をガイドする基板ガイド部材と、前記基板収納部材の被ガイド部と、前記被ガイド部をガイドする前記基板ガイド部材のガイド部と、前記基板収納部材の位置規制部と、前記基板ガイド部材のガイド入口を塞ぐ蓋と、前記蓋の蓋規制部と、前記蓋規制部で規制される前記基板収納部材の端部の被規制部と、を備え、前記基板収納部材の一端側は、前記ガイド部で前記被ガイド部がガイドされて前記扉前面部材に接触又は近接するようにガイドされて、前記基板収納部材の他端側は、前記位置規制部が前記基板ガイド部材に接触することで前記扉前面部材に接触又は近接するように付勢されて、前記被規制部が前記蓋規制部に規制されることで前記基板収納部材が位置規制されることを特徴とする。
【発明の効果】
【０００８】
本発明によれば、扉の断熱厚の減少を抑制して、かつ着脱が容易な基板の配置構造を備えた冷蔵庫を提供することができる。
【図面の簡単な説明】
【０００９】
【図１】本発明の実施形態に係る冷蔵庫の斜視図である。
【図２】図１の扉に配置する基板とその配置部の説明図である。
【図３】基板の構成を説明する図であって、図３（ａ）は基板組品の斜視図、図３（ｂ）は基板組品の分解斜視図である。
【図４】図２の蓋の構成を説明する図である。
【図５】基板組品をガイドする基板ガイド部材の構成を説明する図である。
【図６】扉に基板組品と蓋を組み込んだ状態の部分断面図である。
【図７】各部品の拘束状態を示す扉の部分断面図である。
【図８】基板ガイド部材が断熱材の発泡時に変形する状態を説明する図であって、図８（ａ）は上面図、図８（ｂ）はガイド入口側から見た図である。
【図９】扉より基板組品を取り出す構成を説明する図であって、図９（ａ）は基板組品の取り外し初期状態、図９（ｂ）は基板組品の一端が外部に露出した状態、図９（ｃ）は基板組品の半分が外部に露出した状態の図である。
【発明を実施するための形態】
【００１０】
以下、本発明の実施形態について図面を用いて詳細に説明するが、本発明は以下の実施形態に限定されることなく、本発明の技術的な概念の中で種々の変形例や応用例をもその範囲に含むものである。
【００１１】
まず、冷蔵庫の全体的な構成について図１を用いて説明する。図１は本発明の実施形態に係る冷蔵庫の斜視図である。冷蔵庫本体１には、冷蔵室２、製氷室３、上段冷凍室４、冷凍室５及び野菜室６が設けられて、各貯蔵室の前面開口部を開閉する扉がそれぞれ設けられている。冷蔵室扉２ａ、２ｂはそれぞれ冷蔵室２の前面開口部を閉じる左右に併設された扉、上段冷凍室扉４ａは上段冷凍室４の前面開口部を閉じる扉、製氷室扉３ａは製氷室３の前面開口部を閉じる扉、冷凍室扉５ａは冷凍室５の前面開口部を閉じる扉、野菜室扉６ａは野菜室６の前面開口部を閉じる扉である。
【００１２】
本実施形態の冷蔵庫においては、扉前面板（扉前面部材）７として、光透過性のガラス板７ａを各扉の外表面に設けている（図２参照）。後述する図６に示すように、発泡断熱材（断熱材）９は、ガラス板７ａを一例とする扉前面板（扉前面部材）７と扉背面部材１０との間に充填発泡される。扉前面板７であるガラス板７ａの板厚は、本実施形態では２ｍｍから３.５ｍｍである。この板厚は、冷蔵庫組み立て時、冷蔵庫移送時、及び冷蔵庫使用時等に生じる衝撃によってガラス板７ａが割れたり、亀裂が生じたりしない寸法である。
【００１３】
また、さらに強度を確保する場合や板厚を薄くする場合等には、ガラス板７ａに熱強化処理や化学強化処理等を施してもよい。なお、ガラス板７ａは絶縁体である。
【００１４】
また、冷蔵室扉２ａ及び冷蔵室扉２ｂは、夫々冷蔵庫本体１の上部に設けられた上ヒンジ等（図示せず）によって、それぞれ回動自在に軸支されている。すなわち、観音開き式に構成された、いわゆるフレンチドアを構成している。
【００１５】
冷蔵庫１の上部には、冷蔵室扉２ａ、２ｂを開放させる扉開放装置１１を設けている。
また、冷蔵室扉２ａ、２ｂの外側面には、開扉スイッチ（操作表示部）５０をそれぞれ備えている。冷蔵室扉２ａ、２ｂのいずれかの開扉スイッチ５０を操作すると、扉開放装置１１に駆動指令が伝えられて、扉開放装置１１に備えた押出部材（図示せず）が、冷蔵室扉２ａ又は冷蔵室扉２ｂを開放方向に押し出し、扉を自動で開放させる構成となっている。
【００１６】
次に、冷蔵室扉２ａ，２ｂに備えた開扉スイッチ５０の構成について説明する。以下では、右側の冷蔵室扉２ａについて説明するが、左側の冷蔵室扉２ｂにも左右対称の同構造を備えており、説明を省略する。
【００１７】
図２は、図１の扉に配置する基板とその配置部の説明図である。図３は、基板の構成を説明する図であって、図３（ａ）は基板組品の斜視図、図３（ｂ）は基板組品の分解斜視図である。図４は、図２の蓋の構成を説明する図である。
【００１８】
図２に示すように、冷蔵室扉２ａの扉背面部材１０と扉前面部材７を連結する枠１２には、基板組品２１を挿入するガイド入口５１が形成されている。ガイド入口５１は、図２ではヒンジで軸支された側と反対側の枠１２に形成されている。これにより、冷蔵室扉２ａ，２ｂが閉じた際は、外部からガイド入口５１の位置が視認されないようになるので、意匠性が向上する。
【００１９】
扉前面板７の一部には、操作表示部（開扉スイッチ）５０を有する。扉前面板７を構成するガラス板７ａの前面には、使用者に操作位置を認識させるために、検知手段（図示せず）を備えた基板２３に対向する前面に操作表示部５０を配置する。なお、この操作表示部５０は、検知スイッチの前方をほぼ覆う外形か、または検知よりもやや内側に配置した形状である。
【００２０】
ここで、操作表示部５０を検知手段の領域よりも大きく配置した場合、検知手段の検知範囲以外にも操作表示部５０が含まれてしまい、検知手段が検知しないことで、動作不良であるとの誤解を招くおそれがある。そこで、本実施形態では、検知手段の検知範囲内に操作表示部５０を配置している。
【００２１】
操作表示部５０は、光透過性のガラス板７ａの表面又は裏面にシルク印刷、スクリーン印刷、レジスト等の処理で、ガラス板７ａ前面から視認可能な状態で表示している。
【００２２】
本実施形態では、操作表示部５０を所定の幅を有する横長の線形状としているが、これに限定されず、検知スイッチの配列に合わせて縦長、円形、ドット、文字又は記号等、あらゆる形状を採用することができる。
【００２３】
また、操作表示部５０は、常時外部から視認可能な構成や、非操作時は視認されず操作時に照明手段で照射して浮かび上がらせる構成を採用することができる。
【００２４】
冷蔵室扉２ａ前面からは、少なくとも操作時に操作表示部５０が見える状態であるため、使用者はこの操作表示部５０を目印に扉開の操作を行う。なお、冷蔵室扉２ｂに配置された操作表示部５０も同様の構造である。
【００２５】
検知手段（図示せず）は基板２３に設けられており、ガラス板７ａを介して操作を検知する非接触式のスイッチとして静電容量センサを用いている。そして、静電容量センサを搭載した基板２３を含む基板組品２１は、冷蔵室扉２ａの枠部材１２に設けたガイド入口５１から、断熱材９とガラス板７ａの間に配置され、蓋３１にてガイド入口５１が閉じられる。
【００２６】
まず、各構成部品の詳細と、その配置に関して説明する。基板組品２１は、図３（ｂ）に示すように、基板２３を背部の基板カバー（基板収納部材）２４と前部のフィルム（基板前面部材）２２の間に配置して、図３（ａ）のように組み立てて構成される。
【００２７】
図３（ａ）に示すように、基板２３を含む基板組品２１は横長の長方形状であって、基板組品２１を構成する基板収納部材２４の長手方向の上部と下部には、突起形状の被ガイド部２１ａを所定距離で２箇所ずつ、計４箇所に備えている。換言すると、基板収納部材２４の四隅の近傍に被ガイド部２１ａを備えている。
【００２８】
基板収納部材２４の一端には、外周縁の一部に、前面より後方に凹んだ凹部（被規制部）２１ｂを有する。この凹部２１ｂには、凹部２１ｂから前方に突出した凸部２４ｂを有する。
【００２９】
基板組品２１は、図３（ｂ）に示すように、検知手段として静電容量センサ（図示せず）を搭載した基板２３を、基板カバー（基板収納部材）２４の凹形状の収納部２４ｄに配置し、フィルム（基板前面部材）２２で前面を覆うように構成している。基板収納部材２４の外周縁２４ｃは、基板２３を基板収納部材２４の収納部２４ｄに組み込んだ状態で、基板２３の前面と前方の位置が同等となるように構成しており、フィルム２２が外周縁２４ｃに張り付ける構成としている。
【００３０】
また、基板収納部材２４の背面には、基板組品２１を基板ガイド部材４１へ配置した際の位置規制部２４ａを備えている。
【００３１】
次に、基板組品２１を冷蔵室扉２ａに組付けた状態の構成を、図５、図６、図７を用いて説明する。図５は、基板組品をガイドする基板ガイド部材の構成を説明する図である。
図６は、扉に基板組品と蓋を組み込んだ状態の部分断面図であって、水平方向の断面図である。図７は、各部品の拘束状態を示す扉の部分断面図であって、図６とは高さのことなる位置における水平方向の断面図である。
【００３２】
冷蔵室扉２ａの扉前面板７の一例であるガラス板７ａの背面には、基板組品２１を所定位置にガイドして配置させる基板ケース（基板ガイド部材）４１が、冷蔵室扉２ａの枠部材１２に接続した状態で配置させている。基板ガイド部材４１は図５に示すように、基板ガイド部材４１の上下にガイド部４４を設けており、基板組品２１の上下に設けた４箇所の被ガイド部２１ａは、ガイド部４４によってガイドされて、所定の組み込み位置に配置される。
【００３３】
扉前面板７と扉背面部材１０との間の発泡断熱材９の厚さ寸法は、図６に示すように、冷蔵室扉２ａの冷蔵室２側に収納ポケット（図示せず）を固定する突出部９ａを有し、この突出部９ａは他の部分９ｂに比べて断熱厚さが大きい。
【００３４】
ところが、本実施形態では開扉スイッチ５０を水平方向に長い形状としていることから、突出部９ａを超えて断熱材９の薄い他の部分９ｂの範囲まで、基板ケース４１及び基板組品２１が位置する。これは、静電容量センサの検知手段の操作性について検討を重ねた結果、使用者に対面する扉前面板７上を操作する際、水平方向に指を滑らせる動作のほうが、上下方向に指を滑らせる動作に比べて操作性が良いことを見出したためである。水平方向の場合、肘又は手首を支点にして高さ位置を変えないで無理のない動作が可能であるが、上下方向の場合、高さ位置が変化するので操作性が高くないことが考えられるためである。
【００３５】
ここで、基板組品２１を収納する空間分、基板ケース４１は断熱材９側に突出するため、断熱材９の厚さは基板ケース４１の寸法分薄くなる。このことにより、基板ケース４１内部が冷蔵室２内の冷気の影響により冷やされ、断熱材９の厚さを薄くしすぎると結露が懸念される。また、断熱材９を薄くしすぎると熱漏洩量が増えて、省エネルギー性が低下する。よって、基板ケース４１の厚みを、基板組品２１の着脱が可能な最小厚さ寸法にする必要がある。
【００３６】
そこで、基板組品２１の被ガイド部２１ａを、基板ケース４１に設けたガイド部４４に沿ってガイド入口５１側から挿入していくことで、基板組品２１を所定位置に配置するようにしている。また、基板ケース４１はガイド入口５１側よりもガイド部４４の終端部側で、扉前面板７との距離が狭くなるように構成している。また、基板収納部材２４の背面には、ばね性を有するように位置規制部２４ａを設けている。
【００３７】
この構成において、基板組品２１がガイド部４４によってガイドされていくと、位置規制部２４ａは、基板ケース４１と扉前面板７との距離が広いガイド入口５１側から、次第に基板ケース４１と扉前面板７との距離が狭い部分に差し掛かる。すると、位置規制部２４ａが基板ケース４１に接触して、位置規制部２４ａのばね性による付勢力が基板組品２１を基板ケース４１から離す方向、すなわち扉前面板７に近づける方向に作用して、基板組品２１が扉前面部材７に接触又は近接する。
【００３８】
これにより、基板ケース４１の長手方向の一端から他端にわたって基板収納空間を大きく形成しなくても、基板組品２１を扉前面板７に接触又は近接させることができる。すなわち、基板収納部材２４の一端（ガイド入口５１への挿入始端側）は、ガイド部４１の終端付近で扉前面板７に接触又は近接させるようにガイドされて、基板収納部材２４の他端（ガイド入口５１への挿入終端側）は、位置規制部２４ａが基板ケース４１に接触することで扉前面板７に接触又は近接する。
【００３９】
次に、蓋３１について説明する。図４は、蓋の構成を説明する図である。
【００４０】
冷蔵庫は製造、出荷、販売、据え付けの過程において、外力によって振動が加わることがある。その際に、基板組品２１がガラス板７ａより離れると、静電容量センサの検知範囲を外れて、ガラス板７ａの前面からの操作を正常に検知しない可能性がある。そのため、基板組品２１がガラス板７ａから所定距離以上離れないように構成する必要がある。
【００４１】
一方、基板収納部材２４背面の位置規制部２４ａによる付勢力にて基板組品２１がガラス板７ａから離れないように強く押しつけ過ぎると、基板組品２１を取り出す作業性が低下する。
【００４２】
そこで、本実施形態では、基板組品２１を基板ガイド部材４１に組み込んだ後に、蓋３１で基板組品２１をさらに規制する構成としている。図４に示すように、蓋３１には、中央寄りの蓋規制部３２と、周囲の４箇所に枠部材１２と連結する凸形状の連結部３３と、を有する。また、基板収納部材２４には、基板ガイド部材４１に組み込んだ状態でガイド入口５１側に位置する端部に、前面より後方に凹んだ凹部（被規制部）２１ｂを有する。
【００４３】
この構成において、図７に示すように、基板組品２１を基板ガイド部材４１に組み込んだ後、ガイド入口５１を塞ぐ蓋３１の連結部３３を枠部材１２と連結させると、蓋規制部３２が、基板組品２１の被規制部２１ｂの背部に位置して、ガイド入口５１付近で基板組品２１が基板ガイド部材４１側へ自由に移動することを規制する。すなわち、ガイド入口５１付近は、ガイド部４４の終端側よりも大きな空間を形成しており、基板組品２１の着脱を容易にしているが、その分、基板組品２１の組み込み状態でガイド入口５１付近は、基板組品２１と基板ガイド部材４１との間の距離が大きくなり、扉前面板７側との距離が変化するおそれがある。そのため、基板組品２１を基板ガイド部材４１に組み込んだ後、蓋３１でガイド入口５１を閉じた場合、ガイド入口５１付近の基板組品２１の位置を規制している。
【００４４】
なお、蓋３１の蓋規制部３２は、基板カバー２４の被規制部２１ｂに接する形状であれば良く、基板組品２１の背面全体にわたって設ける必要はない。また、被規制部２１ｂは凹形状に限らず、蓋規制部３２によって位置が規制される形状であればよい。本構成によれば、基板ガイド部材４１全体を大きくして基板組品２１の収納空間を大きく設けることなく、基板組品２１を容易に所定位置に組み込むことができるため、断熱材９の厚みの低減を抑えることができる。
【００４５】
次に、図８は基板ガイド部材が断熱材の発泡時に変形する状態を説明する図であって、図８（ａ）は上面図、図８（ｂ）はガイド入口側から見た図である。発泡断熱材９の厚みを少しでも厚く確保するため、図８（ａ）及び図８（ｂ）に示すように、基板ケース４１の基板組品２１を配置する領域の背面壁４２ａを断熱材９側に凸方向の曲面形状にしている。この構成において、発泡断熱材９の充填発泡時に生じる発泡圧で、曲面形状の背面壁（変形前）４２ａが変形して、平面に近い形状の背面壁（変形後）４２ｂに変形し、必要寸法４３に近い形状を得られるようにしている。
【００４６】
発泡断熱材９の発泡圧によって、基板ケース４１の背面壁４２ａが背面壁４２ｂの位置に変形することを考慮して、予め背面壁４２ａの曲面形状を構成する。このことにより、基板組品２１の着脱のための必要寸法４３を確保している。
【００４７】
また、想定している形状より若干変形量が増減しても、基板組品２１の背面の位置規制部２４ａによる付勢力によって、基板ガイド部材４１から扉前面板７までの寸法誤差を吸収できる。
【００４８】
なお、基板ケース４１に必要寸法４３を予め形成して、発泡圧による変形を抑制する補強部材（例えば背面壁のリブ等）を追加した場合、追加した補強部材の形状分だけ発泡断熱材９の厚みは減少してしまう。また、補強部材を設けずに必要寸法４３の形状にした場合は、基板ケース４１が反るように変形するため、基板組品２１の組み込みに誤差が生じることがある。よって、これらを考慮した上で、本実施形態では、基板ケース４１に断熱材９側に凸となる曲面形状を背面壁４２ａに有する構成として、断熱材９の発泡後に必要寸法４３の位置の背面壁４２ｂに変形するように構成している。
【００４９】
なお、扉に組み込んだ後に、扉を解体して基板ケース４１を取り外した場合、基板ケース４１は必要寸法４３の位置の背面壁４２ｂから、曲面形状の背面壁４２ａに戻るので、原形の把握は可能である。
【００５０】
次に、図９は扉より基板組品を取り出す構成を説明する図であって、図９（ａ）は基板組品の取り外し初期状態、図９（ｂ）は基板組品の一端が外部に露出した状態、図９（ｃ）は基板組品の半分が外部に露出した状態の図である。基板組品２１をガイド入口５１から取り出す際には、図９（ａ）に示すように、冷蔵室扉２ａのガイド入口５１より、基板組品２１のガイド入口５１側の端部に設けた凸部２４ｂにマイナスドライバー６１等の工具を引っ掛けて、基板組品２１がガラス板７ａから離れる方向に作用させる。すると、基板組品２１の背面の位置規制部２４ａは、ばね性による反発力が増大する方向に変形して、この反発力が解放される際に、基板組品２１がガイド入口５１の方向に付勢される。
【００５１】
これは、基板ガイド部材４１の背面壁が、ガイド入口５１側に向かって徐々に広がるように傾斜２４ｅを有しており、位置規制部２４ａは固定端がガイド入口５１側で、自由端がガイド部４４の終端部側に位置していることによる。すなわち、基板組品２１がガラス板７ａから離れる方向の力を凸部２４ｂに作用させると、ばね性を有する位置規制部２４ａは反発力が増加して、基板組品２１をガイド入口５１側に押し出す方向に反発力の解放と同時に付勢する。そして、位置規制部２４ａは基板ガイド部材４１の傾斜２４ｅに差し掛かり、基板組品２１がさらにガイド入口５１側に加速して押し出される。そして、図９（ｂ）に示すような状態まで基板組品２１が押し出されて、この状態で工具６１を凸部２４ｂに作用させて基板組品２１を引き出すことで、基板組品２１を冷蔵室扉２ａより容易に取り出せる。そして、基板２３と冷蔵庫本体１を接続しているコード（図示せず）の結線を外すことにより、図９（ｃ）に示すように、自由に取り出すことができる。
【００５２】
なお、基板ガイド部材４１の傾斜２４ｅは、ガイド入口５１側ほど扉前面部材７から離れるように設けており、その範囲は図６に示すように、突出部９ａからガイド入口５１の範囲内に設けることが好ましい。これによれば、基板収納空間は基板ガイド部材４１の傾斜を境にして、ガイド入口５１側が広域空間となり、ガイド部４４の終端側が狭域空間となる。よって、突出部９ａから扉中央寄りの位置（他の部分９ｂ）における断熱材９の厚さの減少を抑制することができる。
【００５３】
また、傾斜２４ｅは平面に限らず、曲面形状、湾曲形状、段形状、凹凸形状等であってもよく、傾斜２４ｅからガイド入口５１に近い側か遠い側かで、基板収納空間の広狭を変化させる構成であればよい。
【００５４】
以上の実施形態によれば、以下の効果を奏することができる。
すなわち、貯蔵室の前方開口を開閉する扉と、前記扉内の断熱材と、前記扉の前面の光透過性の扉前面部材と、基板を収納する基板収納部材と、前記断熱材と前記扉前面部材との間で前記基板収納部材をガイドする基板ガイド部材と、前記基板収納部材の被ガイド部と、前記被ガイド部をガイドする前記基板ガイド部材のガイド部と、前記基板収納部材の位置規制部と、前記基板ガイド部材のガイド入口を塞ぐ蓋と、前記蓋の蓋規制部と、前記蓋規制部で規制される前記基板収納部材の端部の被規制部と、を備え、前記基板収納部材の一端側は、前記ガイド部で前記被ガイド部がガイドされて前記扉前面部材に接触又は近接するようにガイドされて、前記基板収納部材の他端側は、前記位置規制部が前記基板ガイド部材に接触することで前記扉前面部材に接触又は近接するように付勢されて、前記被規制部が前記蓋規制部に規制されることで前記基板収納部材が位置規制される。
【００５５】
これにより、基板ガイド部材全体を大きくして基板組品の収納空間を大きく設けることなく、基板組品を容易に所定位置に組み込むことができるため、断熱材の厚みの低減を抑えることができる。
【００５６】
また、前記位置規制部は固定端が前記ガイド入口側で、自由端が前記ガイド部の終端部側に位置しており、前記基板ガイド部材は、前記ガイド入口側ほど前記扉前面部材から離れる傾斜を有しており、前記位置規制部が前記基板ガイド部材の傾斜に反発力を作用させた際に前記基板組品がさらに前記ガイド入口側に押し出される。これにより、基板組品を扉から取り外すことが容易となり、製造時の検査や、サービスマンによる点検や交換の作業時における取り扱い性が向上する。
【００５７】
また、前記扉の前記貯蔵室側に他の部分よりも断熱厚さが大きい突出部を有し、前記基板ガイド部材の前記傾斜は前記突出部から前記ガイド入口の範囲に設けて、該傾斜から前記ガイド入口側を広域空間、前記ガイド部の終端側を狭域空間とした。これにより、突出部から扉中央寄りの位置における断熱材の厚さの減少を抑制することができる。
【００５８】
また、前記基板ガイド部材は前記断熱材側に凸形状の曲面を有し、該曲面は前記断熱材の発泡時の発泡圧による変形で平面形状となるように変形させる。これにより、基板ガイド部材に発泡圧に抗するリブ等の補強手段を設ける必要がない。そのため、断熱材の厚さの低下を抑制できる。さらに、基板ガイド部材の構成材料の使用量を低減でき、低コスト化が可能である。
【符号の説明】
【００５９】
１      冷蔵庫本体
２      冷蔵室
２ａ    右側冷蔵室扉（扉）
２ｂ    左側冷蔵室扉（扉）
７      扉前面部材（扉前面板）
７ａ    ガラス板
８      扉内板
９      発泡断熱材（断熱材）
９ａ    突出部
１０    扉背面部材
１１    扉開放装置
１２    枠部材
２１    基板組品
２１ａ  被ガイド部
２１ｂ  凹部（被規制部）
２２    フィルム（基板前面部材）
２３    基板
２４    基板カバー（基板収納部材）
２４ａ  位置規制部
２４ｂ  凸部
２４ｃ  外周縁
２４ｄ  収納部
２４ｅ  傾斜
３１    蓋
３２    蓋規制部
３３    連結部
４１    基板ケース（基板ガイド部材）
４３    必要寸法
４４    ガイド部
５０    操作表示部（開扉スイッチ）
５１    ガイド入口
６１    工具（マイナスドライバー）
【図１】
2015117892.tif 000003
【図２】
2015117892.tif 000004
【図３】
2015117892.tif 000005
【図４】
2015117892.tif 000006
【図５】
2015117892.tif 000007
【図６】
2015117892.tif 000008
【図７】
2015117892.tif 000009
【図８】
2015117892.tif 000010
【図９】
2015117892.tif 000011